(57)【要約】      （修正有）【課題】低コストで製造でき、メンテナンスも簡単に行なえて維持費が低コストで済む浄化装置を提供する。【解決手段】透水性基盤２２上に設置され、内部を中空に囲む箱体１２と、投入口１４と、排出口１６と、箱体１２内部空間を第１、第２、第３処理部２４、２６、２８に分割する２つの仕切壁１８、２０と、を含み、第１処理部２４は、通水用の孔４０が設けられた底壁３１を有し、内部に大径石材４１が配置され、第２処理部２６は、通水用の孔４４が設けられた底壁３１を有し、内部に小径石材４５が配置され、第３処理部２８は、底面側全体が開口３４されて透水性基盤２２に臨ませており、投入口１６からの廃水を第１、第２、第３処理部、排出口と順次流す一方で、各処理部２４、２６、２８では廃水を透水性基盤２２へ浸透させて処理することを特徴とする浄化装置１０から構成される。【選択図】図１
0003131594.tif 000002
【実用新案登録請求の範囲】
【請求項１】
地下側へ浸透する水を濾過する透水性基盤上に設置され、一部を開口した底壁と側壁と天蓋により囲まれる中空内部を有する箱体と、
箱体の側壁に設けられた廃水の投入口と、
箱体の他の側壁に設けられた外部への排出口と、
投入口側から排出口側に向けて箱体内部空間を第１、第２、第３処理部に分割する２つの仕切壁であって、隣接する下流側空間に上方側から廃水が移動されるように隣接する処理部どうしを上方側で連通させて配置される仕切壁と、を含み、
天蓋は開閉自在に設けられ、
第１処理部は、透水性基盤への通水用の孔が設けられた底壁を有し、内部に径の大きな大径石材が配置され、
第２処理部は、透水性基盤への通水用の孔が設けられた底壁を有し、内部に大径石材より径の小さな小径石材が配置され、
第３処理部は、底面側の一部又は全体が開口されて透水性基盤に臨ませており、
投入口からの廃水を第１、第２、第３処理部、排出口と順次流す一方で、各処理部では廃水を透水性基盤へ浸透させて処理することを特徴とする浄化装置。
【請求項２】
投入口の下端より、第１、第２処理部を仕切る第１仕切壁の上端が低く、
第１仕切壁の上端より、第２、第３処理部を仕切る第２仕切壁の上端が低く、
第２仕切壁の上端より、排出口の下端が低く設定されたことを特徴とする請求項１記載の浄化装置。
【請求項３】
透水性基盤は、上層から下層に向けて径が小さくなる石材が積層されたことを特徴とする請求項１又は２記載の浄化装置。
【請求項４】
投入口には、廃水の投入口から箱体内部への流入を妨げることなく、箱体内部の臭気が該投入口から流出するのを防止する逆止弁が設けられた請求項１ないし３のいずれかに記載の浄化装置。
【請求項５】
第１処理部には、投入口からの廃水中の粗ゴミを捕集する捕集かごが天蓋を開けて操作可能なように着脱自在に設置された請求項１ないし４のいずれかに記載の浄化装置。
【考案の詳細な説明】
【技術分野】
【０００１】
本考案は、例えば、飲食店等から下水溝に排出される廃水を処理する浄化装置に関する。
【背景技術】
【０００２】
飲食店等から排出される廃水は油分を含むことが多いことから、下水溝に流す前にグリーストラップ等の油分除去装置を介して廃水を処理している（例えば、特許文献１参照）。グリーストラップは、縦長の角形容器の内側に、複数の仕切り枠を長手方向に順次設けることによって容器内を複数に区画するとともに、仕切り枠の底付近と水面付近とに交互に連通孔を設け、流入管から容器の最初の区画に廃水を導入することにより、廃水に対して各区画ごとに必要な浄化処理を行い、最後の区画から油分やゴミを分離した処理済の廃水が流出されるようにしている。また、最初の区画に粗いゴミを捕集するバスケットが配設されるとともに、中間の区画に、油分を吸着除去するフィルタ状の接触材が配設されているものであった。
【特許文献１】特開２００１−３１１２１６号公報
【考案の開示】
【考案が解決しようとする課題】
【０００３】
しかしながら、従来のグリーストラップでは、複数の仕切り枠を屈曲させて配置させた複雑な構成であるので、製造コストが高価なものであった。また、メンテナンス作業が煩雑であり、管理者がこまめに点検、清掃等を含むメンテナンスを行なえない結果、専門業者等に定期的に依頼せざるを得ず、管理費が高コストとなっていた。さらに、飲食店の調理場の流しとグリーストラップとが流入管を介して連通していることから、グリーストラップ内に貯まっている廃水やゴミの腐敗臭や下水溝からの悪臭が調理場内まで逆流してしまう問題があった。
【０００４】
本考案は、上記従来の課題に鑑みてなされたものであり、その一つの目的は、低コストで製造でき、メンテナンスも簡単に行なえて維持費が低コストで済む浄化装置を提供することにある。また、他の目的は、悪臭の逆流を防止できる浄化装置を提供することにある。
【課題を解決するための手段】
【０００５】
上記課題を解決するために本考案は、地下側へ浸透する水を濾過する透水性基盤２２上に設置され、一部を開口した底壁３１と側壁３０１〜３０４と天蓋３２により囲まれる中空内部を有する箱体１２と、箱体１２の側壁（３０１）に設けられた廃水の投入口１４と、箱体１２の他の側壁（３０３）に設けられた外部への排出口１６と、投入口１４側から排出口１６側に向けて箱体１２内部空間を第１、第２、第３処理部２４、２６、２８に分割する２つの仕切壁であって、隣接する下流側空間に上方側から廃水が移動されるように隣接する処理部どうしを上方側で連通させて配置される仕切壁１８、２０と、を含み、天蓋３２は開閉自在に設けられ、第１処理部２４は、透水性基盤２２への通水用の孔４０が設けられた底壁３１を有し、内部に径の大きな大径石材（４１）が配置され、第２処理部２６は、透水性基盤２２への通水用の孔４４が設けられた底壁３１を有し、内部に大径石材より径の小さな小径石材（４５）が配置され、第３処理部２８は、底面側の一部又は全体が開口３４されて透水性基盤２２に臨ませており、投入口１６からの廃水を第１、第２、第３処理部２４、２６、２８、排出口１６と順次流す一方で、各処理部２４、２６、２８では廃水を透水性基盤２２へ浸透させて処理することを特徴とする浄化装置１０から構成される。
【０００６】
この際、投入口１４の下端より、第１、第２処理部２４、２６を仕切る第１仕切壁１８の上端が低く、第１仕切壁１８の上端より、第２、第３処理部２６、２８を仕切る第２仕切壁２０の上端が低く、第２仕切壁２０の上端より、排出口１６の下端が低く設定されるとよい。
【０００７】
また、透水性基盤２２は、上層（４６）から下層（４８）に向けて径が小さくなる石材が積層されたこととしてもよい。
【０００８】
また、投入口１４には、廃水の投入口１４から箱体１２内部への流入を妨げることなく、箱体１２内部の臭気が該投入口１４から流出するのを防止する逆止弁３８が設けられたこととしてもよい。
【０００９】
また、第１処理部２４には、投入口１４からの廃水中の粗ゴミを捕集する捕集かご４２が天蓋３２を開けて操作可能なように着脱自在に設置されたこととしてもよい。
【考案の効果】
【００１０】
本考案の浄化装置によれば、地下側へ浸透する水を濾過する透水性基盤上に設置され、一部を開口した底壁と側壁と天蓋により囲まれる中空内部を有する箱体と、箱体の側壁に設けられた廃水の投入口と、箱体の他の側壁に設けられた外部への排出口と、投入口側から排出口側に向けて箱体内部空間を第１、第２、第３処理部に分割する２つの仕切壁であって、隣接する下流側空間に上方側から廃水が移動されるように隣接する処理部どうしを上方側で連通させて配置される仕切壁と、を含み、天蓋は開閉自在に設けられ、第１処理部は、透水性基盤への通水用の孔が設けられた底壁を有し、内部に径の大きな大径石材が配置され、第２処理部は、透水性基盤への通水用の孔が設けられた底壁を有し、内部に大径石材より径の小さな小径石材が配置され、第３処理部は、底面側の一部又は全体が開口されて透水性基盤に臨ませており、投入口からの廃水を第１、第２、第３処理部、排出口と順次流す一方で、各処理部では廃水を透水性基盤へ浸透させて処理することから飲食店等からの廃水を各処理部で浄化して下水溝へ流しつつ、廃水の一部は地下へ浸透させて、排水を有効に処理できる浄化装置を簡単な構成で実現でき、低コストで製造することができる。さらに、例えば、天面側を開けてホース等で上から水で流すだけで簡単に清掃でき、専門業者に依頼することなく飲食店の従業員等でも簡便、低コストにメンテナンスを行える。
【００１１】
また、投入口の下端より、第１、第２処理部を仕切る第１仕切壁の上端が低く、第１仕切壁の上端より、第２、第３処理部を仕切る第２仕切壁の上端が低く、第２仕切壁の上端より、排出口の下端が低く設定された構成とすることにより、例えば、ポンプ等を用いることなく簡単な構造で、廃水を上流側から下流側の処理部及び排出口へ逆流することなく確実に流して、順次各処理部での処理、排出を行わせることができる。
【００１２】
また、透水性基盤は、上層から下層に向けて径が小さくなる石材が積層されたことから、地下側への浸透をスムーズに行えるとともに、例えば、ぐり石、砕石、砂利等の安価な素材を用いて透水性基盤を具体的に実現できる。
【００１３】
また、投入口には、廃水の投入口から箱体内部への流入を妨げることなく、箱体内部の臭気が該投入口から流出するのを防止する逆止弁が設けられた構成とすることにより、飲食店内部に箱体内部から悪臭が逆流せず、飲食店内の衛生環境を良好に維持できる。
【００１４】
また、第１処理部には、投入口からの廃水中の粗ゴミを捕集する捕集かごが天蓋を開けて操作可能なように着脱自在に設置されたことにより、投入口から流入される廃水中の粗いゴミを捕集かごを介して捕集して廃水から取り除くことができるとともに、メンテナンスの際に箱体の天蓋を開けて捕集かごを取り外して粗いゴミを捨てることができ、簡単にメンテナンスを行なうことができる。
【考案を実施するための最良の形態】
【００１５】
以下、添付図面を参照しつつ本考案の浄化装置の実施の形態について説明する。本考案の浄化装置は、例えば、レストランや食堂等の飲食店の厨房と下水溝との間に介設されて飲食店からの廃水を処理する装置である。図１、図２は、本考案の浄化装置の第１の実施形態を示している。本実施形態において、浄化装置１０は、箱体１２と、箱体１２に設けられた投入口１４と、排出口１６と、箱体内部空間を区画する２つの仕切壁１８、２０と、を含み、さらに、該仕切壁１８、２０により箱体内部空間に形成された第１、第２、第３処理部２４、２６、２８を含む。本実施形態では、浄化装置１０は、例えば、飲食店等の敷地内の地中に埋設されており、飲食店Ｒの厨房と下水溝Ｓとを繋ぐ地中に埋設された排水管Ｐ１、Ｐ２に介設されている。
【００１６】
図１、図２に示すように、箱体１２は、本実施形態では、例えば、その構成のほとんどを成型コンクリートで形成された矩形中空箱体からなり、地下側へ浸透する水を濾過する透水性基盤２２上に設置される。本実施形態では、箱体１２は、地中に埋設されており、該箱体の直下に透水性基盤２２が形成される。箱体１２は、例えば、４方側面を囲むコンクリート製の側壁３０１〜３０４と、同コンクリート製の底壁３１と、天面側を閉鎖する鉄等の金属製の天蓋３２と、を有した略直方体又は立方体で形成されており、内部に中空空間が形成されている。すなわち、側壁と底壁がコンクリート二次製品からなり、天蓋が金属製となっている。なお、箱体１２は、例えば、プラスチック等の成型合成樹脂や繊維強化プラスチック等により形成してもよい。底壁３１の一部は、開口３４、４０、４５されており、受けた廃水を透水性基盤２２へ浸透させうる。箱体１２は、天蓋３２の上面側が地面ＧＬと同じ高さとなるように全体的に埋設されて、天蓋３２のみを地面に露出させている。天蓋３２は、例えば、中間位置から分割されて両側の枢軸を介して自在に開閉し、箱体１２の天面側全体を開閉するように設けられている。天蓋３２が開閉自在に設けられているので、例えば、箱体内部の点検や清掃等のメンテナンスの際に地上側から箱体内部を開放して有効に作業を行える。箱体１２の１つの側壁３０１には飲食店の厨房から流れてくる廃水の流入口となる投入口１４が設けられ、該側壁３０１と対向する側壁３０３に投入口１４より低い位置に廃水の流出口となる排出口１６が設けられている。投入口１４、排出口１６は、例えば、側壁３０１、３０３に固定されるプラスチック製短管部材からなるアダプタ管３６で形成されている。投入口１４は飲食店Ｒの厨房に接続された排水管Ｐ１に、排出口１６は下水溝Ｓに接続された排水管Ｐ２に、それぞれ内部連通して接続される。
【００１７】
投入口１４には、箱体１２内部の臭気が該投入口１４から排出管Ｐ１内に流出するのを防止する逆止弁３８が設けられている。すなわち、逆止弁３８は、飲食店側へ箱体内の悪臭が流出するのを防止する弁装置である。逆止弁３８は、例えば、投入口が形成された側壁３０１に枢支部を介して支持された該投入口を開閉自在に閉鎖する閉鎖板を有している。逆止弁３８は排水管Ｐ１からの廃水の流れが無い場合は投入口の閉鎖状態を維持して臭気が排出管Ｐ１に逆流するのを防止するとともに、廃水管Ｐ１から廃水が流れくるとその流水圧で箱体内部側に開いて廃水の投入口を開き箱体内部への流入を妨げることなくスムーズに流入させる。
【００１８】
箱体１２の内部空間は、底面側から中間位置の高さまで立設された２つの仕切壁１８、２０により３つに区分けされており、第１処理部２４、第２処理部２６、第３処理部２８を形成している。この３つの処理部２４、２６、２８は、投入口１４側から排出口１６側、すなわち、箱体内部における水の上流側から下流側に向けて、順に第１、第２、第３処理部となっており、仕切壁の上方側で隣接する処理部を連通させている。２つの仕切壁は、第１、第２処理部２４、２６の間を仕切る第１仕切壁１８と、第２、第３処理部２６、２８の間を仕切る第２仕切壁２０と、からなる。本実施形態では、投入口１４の下端より第１仕切壁１８の上端が低く、第１仕切壁１８の上端より第２仕切壁２０の上端が低く、第２仕切壁２０の上端より排出口１６の下端が低く設定されている。これにより、投入口１４からの廃水は箱体内部を第１、第２、第３処理部の順に、逆流することなく排出口側へ自然に流れる。
【００１９】
第１処理部２４は、箱体内部空間の投入口１４側に設けられた廃水処理の第１の区域であり、投入口１４から流入する廃水を受ける。第１処理部２４は、３つの側壁３０１、３０２、３０４と、第１仕切壁１８と、底壁３１と、で区画されており、第１仕切壁１８の上方側で隣接する第２処理部２６に連通している。第１処理部２４では、底壁３１に通水孔４０が開口されており、廃水を底壁の閉鎖部分を介して内部に貯留しつつ、通水孔４０を介して透水性地盤２２側へ少しずつ排出する。第１処理部２４内部には、例えば、濾材として直径が１０ｃｍ程度のぐり石４１等の比較的径が大きな大径石材が充填されている。さらに、第１処理部２４には、後述の捕集かご４２が設置される。なお、大径石材の大きさは任意でよい。
【００２０】
第２処理部２６は、箱体内部空間の流れ中間位置に設けられた廃水処理の第２の区域であり、第１処理部２４から第１仕切壁１８の上方側を溢流した廃水を受ける。第２処理部２６は、２つの側壁３０２、３０４と、第１、第２仕切壁１８、２０、底壁３１と、で区画されており、第１、第２仕切壁１８、２０の上方側で隣接する第１、第３処理部２４、２８にそれぞれ連通している。第２処理部２６では、底壁３１に通水孔４４が開口されており、廃水を底壁３１の閉鎖部分を介して内部に貯留しつつ、通水孔４４を介して透水性地盤２２側へ少しずつ排出する。第２処理部２６内部には、例えば、濾材として直径が２〜３ｃｍ程度の砕石４５等の比較的径が小さな小径石材が充填されている。なお、小径石材の大きさは大径石材より小さな径のものであれば任意でよい。
【００２１】
第３処理部２８は、箱体内部空間の排出口１６側に設けられた廃水処理の第３の区域であり、第２処理部２６から第２仕切壁２０の上方側を溢流した廃水を受け、排出口１６に廃水する。第３処理部２８は、３つの側壁３０２、３０３、３０４と、第２仕切壁２０とで区画されており、上方側で隣接する第２処理部２６に連通している。第３処理部２８では、底面側全体が開口３４され該開口３４を透水性地盤２２に臨ませて形成されており、廃水を透水性地盤２２上に直接的に貯留し溢流した水を排出口１６へ流出しつつ、透水性地盤２２側へ浸透排水する。なお、第３処理部２８に開口を設けた底壁を形成させてもよい。この際、開口の大きさ、数は任意でよい。
【００２２】
透水性基盤２２は、箱体１２直下に形成されて該箱体１２から地下側へ透水する水を受けて地下側へ浸透させる。透水性基盤２２は、本実施形態では、径の異なる濾材を２層に積層して形成されている。具体的には、箱体１２側の上層として例えば、直径が１０ｃｍ程度のぐり石等の比較的径が大きな石材が敷設されたぐり石層４６と、その下に下層として例えば、直径が２〜３ｃｍ程度の砕石等の比較的径が大きな石材が敷設された砕石層４８と、を含み、上層から下層に向けて径が小さくなる石材が積層されている。なお、透水性基盤２２は、例えば、３層以上に形成してもよく、砕石層の下に砂利層、砂層等を形成してもよい。
【００２３】
捕集かご４２は、第１処理部２４に着脱自在に配置され、投入口１４から流入する廃水を最初に受けて、該廃水中の粗いゴミを捕集しつつ、水を通すフィルタ機能を有する。捕集かご４２は、例えば、粗いゴミを通過させないような任意の大きさのメッシュ孔が形成されたメッシュかごからなり、第１処理部２４を区画している側壁に設けられた受片４９に支持されている。捕集かご４２には取っ手５０が取り付けられており、天蓋３２を開けた開口から取っ手５０を介して着脱操作可能なようになっている。
【００２４】
箱体１２には、箱体内部に廃水とは別に水を給水して、第１、第２、第３処理部内の水量を調整する給水口５２が設けられている。給水口５２は、例えば、給水管５３を介して図示しない上水道から水が供給される給水装置５４と接続されている。給水口５２は、例えば、箱体の１つの側壁３０２の上方側に設けられており、第１処理部２４内に水を供給する。
【００２５】
本実施形態に係る浄化装置１０に飲食店Ｒの厨房から排水管Ｐ１を介して廃水が流れてくると、投入口１４を介して箱体内部の第１処理部２４内に投入される。廃水中の粗いゴミは、捕集かご４２で捕集されて分離される。第１処理部２４では、捕集かご４２を通った廃水を貯留しつつ、貯留した水が第１仕切壁１８の高さを越えると溢流して下流側の第２処理部２６に流出する。第３処理部２８では、透水性基盤２２により廃水を貯留しつつ、第２処理部２６では、廃水を貯留しつつ、第２仕切壁２０の高さを越えると溢流して下流側の第３処理部２８に流出する。排出口１６の下端の高さを越えると溢流して排出口１６に流出する。すなわち、投入口からの廃水を第１処理部２４のぐり石中、第２処理部２６の砕石中、第３処理部２８と順次通して該廃水を浄化して、排水口１６から下水溝Ｓへ流すことができる。同時に、第１、第２、第３処理部２４、２６、２８に流入した廃水は、底壁３１に設けられた通水孔４０、４４又は開口３４を介して地下側へ浸透させるので、栄養がある廃水を地下側へ浸透させることができる。なお、必要に応じて、給水口５２から上水を箱体１２内部に給水して処理部内の水量を調整し、排出口１６側への流出を補助することができる。また、浄化装置内部を清掃する際には、天蓋３２を開けて箱体の上側開口からホース等から水を噴射して内部を簡単に清掃できる。また、捕集かご４２を取っ手を介して離脱させて中のゴミを取り除いて再び設置し、簡便にメンテナンスできる。なお、浄化装置１０はグリーストラップの排出口に接続して配置されてもよい。また、飲食店に限らず、家庭やビル等からの雑排水を処理するのに用いても良い。例えば、家庭等に設置された汚水枡や浄化槽等に変えて下水溝との間に介設されていても良い。また、家庭等の汚水枡や浄化槽等と下水溝との間に配置されてもよい。
【００２６】
以上説明した本考案の浄化装置は、上記した実施形態のみの構成に限定されるものではなく、実用新案登録請求の範囲に記載した本考案の本質を逸脱しない範囲において、任意の改変を行ってもよい。
【産業上の利用可能性】
【００２７】
本考案の浄化装置は、例えば、レストランや食堂等の飲食店や家庭等と下水溝との間に介設されて利用される。
【図面の簡単な説明】
【００２８】
【図１】本考案の第１の実施形態に係る浄化装置の縦断面概略説明図である。
【図２】図１の浄化装置のＡ−Ａ線断面図で一部省略した説明図である。
【符号の説明】
【００２９】
１０  浄化装置
１２  箱体
１４  投入口
１６  排出口
１８  第１仕切壁
２０  第２仕切壁
２２  透水性基盤
２４  第１処理部
２６  第２処理部
２８  第３処理部
３０１〜３０４  側壁
３１  底壁
３２  天蓋
３４  開口
３８  逆止弁
４０  通水孔
４１  ぐり石
４２  捕集かご
４４  通水孔
４５  砕石
４６  ぐり石層
４８  砕石層
【図１】
0003131594.tif 000003
【図２】
0003131594.tif 000004